(57)【要約】【課題】電子薬歴を適切に運用できるようにすることを目的とする。【解決手段】手順記憶部２３は、薬局における薬歴に関する作業について、複数のウインドウから選択された１つ以上のウインドウについて大きさ及び配置を定めた１つ以上の画面情報を順に示す画面操作手順を記憶している。表示制御部２２は、手順記憶部２３に記憶された画面操作手順のうち、指定された画面操作手順を読み出し、読み出された画面操作手順が示す順に、読み出された画面操作手順が示す画面情報で定められたウインドウを定められた大きさ及び配置で表示装置３２に表示させる。【選択図】図４
2017174260.tif 000002
【特許請求の範囲】
【請求項１】
薬局における薬歴に関する作業について、複数のウインドウから選択された１つ以上のウインドウについて大きさ及び配置を定めた１つ以上の画面情報を順に示す画面操作手順を記憶する手順記憶部と
前記手順記憶部によって記憶された画面操作手順のうち、指定された画面操作手順を読み出し、読み出された画面操作手順が示す順に、読み出された画面操作手順が示す画面情報で定められたウインドウを定められた大きさ及び配置で表示装置に表示させる表示制御部と
を備える薬歴管理装置。
【請求項２】
前記手順記憶部は、薬局と作業者と患者との少なくともいずれかの条件とともに、画面操作手順を記憶し、
前記表示制御部は、指定された条件に対応する画面操作手順を読み出す
請求項１に記載の薬歴管理装置。
【請求項３】
前記表示制御部は、作業者による入力装置の操作に従い、読み出された画面操作手順が示す順にウインドウを切り替えて表示する
請求項１又は２に記載の薬歴管理装置。
【請求項４】
前記薬歴管理装置は、さらに、
対象患者の特性と、処方内容との少なくともいずれかから、前記対象患者に類似する類似患者を特定する患者特定部
を備え、
前記表示制御部は、前記患者特定部によって特定された類似患者を条件として、条件に対応する画面操作手順を前記手順記憶部から読み出す
請求項１から３までのいずれか１項に記載の薬歴管理装置。
【請求項５】
前記対象患者の特性は、前記薬歴における特記と、疾病と、併用薬との少なくともいずれかである
請求項４に記載の薬歴管理装置。
【請求項６】
前記処方内容は、処方元の医療機関と、処方元の診療科と、処方元の医師と、処方薬と、用法と、用量との少なくともいずれかである
請求項４又は５に記載の薬歴管理装置。
【請求項７】
薬局における薬歴に関する作業について、複数のウインドウから選択された１つ以上のウインドウについて大きさ及び配置を定めた１つ以上の画面情報を順に示す画面操作手順を記憶する手順記憶処理と
前記手順記憶処理で記憶した画面操作手順のうち、指定された画面操作手順を読み出し、読み出された画面操作手順が示す順に、読み出された画面操作手順が示す画面情報で定められたウインドウを定められた大きさ及び配置で表示装置に表示させる表示制御処理と
をコンピュータに実行させる薬歴管理プログラム。
【発明の詳細な説明】
【技術分野】
【０００１】
この発明は、薬局において管理される薬歴の利用技術に関する
【背景技術】
【０００２】
調剤薬局では、処方箋の受け付け、処方監査、調剤鑑査、調剤、薬品の交付、薬歴の作成といった業務が行われている。これらの調剤薬局での業務の品質は、薬剤師のスキルに依存する度合いが高い。
多くの調剤薬局では、薬歴を電子化して電子薬歴として管理する薬歴管理装置が導入されており、調剤薬局における様々な業務で薬歴管理装置が利用されている。様々な業務での利便性を考慮して、薬歴管理装置には多くの種類のウインドウが用意されている。
【０００３】
特許文献１には、薬歴を管理する薬歴管理装置について記載されている。
【先行技術文献】
【特許文献】
【０００４】
【特許文献１】特開２０１５−２２２６０４号公報
【発明の概要】
【発明が解決しようとする課題】
【０００５】
どの業務におけるどのタイミングで、どのウインドウを用いるかは、薬剤師によって異なっている。そのため、従来の薬歴管理装置では、薬剤師によっては、薬歴が十分に活用できていない場合があった。また、薬歴に登録すべき情報の登録が漏れる場合があった。つまり、薬歴の運用についても薬剤師のスキルに依存する度合いが高く、薬歴が適切に運用できていない場合があった。
この発明は、電子薬歴を適切に運用できるようにすることを目的とする。
【課題を解決するための手段】
【０００６】
この発明に係る薬歴管理装置は、
薬局における薬歴に関する作業について、複数のウインドウから選択された１つ以上のウインドウについて大きさ及び配置を定めた１つ以上の画面情報を順に示す画面操作手順を記憶する手順記憶部と
前記手順記憶部によって記憶された画面操作手順のうち、指定された画面操作手順を読み出し、読み出された画面操作手順が示す順に、読み出された画面操作手順が示す画面情報で定められたウインドウを定められた大きさ及び配置で表示装置に表示させる表示制御部と
を備える。
【０００７】
前記手順記憶部は、薬局と作業者と患者との少なくともいずれかの条件とともに、画面操作手順を記憶し、
前記表示制御部は、指定された条件に対応する画面操作手順を読み出す。
【０００８】
前記表示制御部は、作業者による入力装置の操作に従い、読み出された画面操作手順が示す順にウインドウを切り替えて表示する。
【０００９】
前記薬歴管理装置は、さらに、
対象患者の特性と、処方内容との少なくともいずれかから、前記対象患者に類似する類似患者を特定する患者特定部
を備え、
前記表示制御部は、前記患者特定部によって特定された類似患者を条件として、条件に対応する画面操作手順を前記手順記憶部から読み出す。
【００１０】
前記対象患者の特性は、前記薬歴における特記と、疾病と、併用薬との少なくともいずれかである。
【００１１】
前記処方内容は、処方元の医療機関と、処方元の診療科と、処方元の医師と、処方薬と、用法と、用量との少なくともいずれかである。
【００１２】
この発明に係る薬歴管理プログラムは、
薬局における薬歴に関する作業について、複数のウインドウから選択された１つ以上のウインドウについて大きさ及び配置を定めた１つ以上の画面情報を順に示す画面操作手順を記憶する手順記憶処理と
前記手順記憶処理で記憶した画面操作手順のうち、指定された画面操作手順を読み出し、読み出された画面操作手順が示す順に、読み出された画面操作手順が示す画面情報で定められたウインドウを定められた大きさ及び配置で表示装置に表示させる表示制御処理と
をコンピュータに実行させる。
【発明の効果】
【００１３】
この発明では、指定された画面操作手順を読み出し、読み出された画面操作手順が示す順に、読み出された画面操作手順が示す画面情報で定められたウインドウを定められた大きさ及び配置で表示装置に表示させる。これにより、予め定めたウインドウが表示されるため、薬歴を適切に運用できるようになる。
【図面の簡単な説明】
【００１４】
【図１】実施の形態１に係る２回目以降の来局の患者に対する処方箋の受け付け業務の画面例を示す図。
【図２】実施の形態１に係る薬歴の作成業務の画面例を示す図。
【図３】実施の形態１に係るその他のウインドウの例を示す図。
【図４】実施の形態１に係る薬歴管理装置１０の構成図。
【図５】実施の形態１に係る手順登録処理のフローチャート。
【図６】実施の形態１に係る画面操作手順の説明図。
【図７】実施の形態１に係る画面操作手順の説明図。
【図８】実施の形態１に係る画面操作手順の説明図。
【図９】実施の形態１に係る画面操作手順の説明図。
【図１０】実施の形態１に係る画面操作手順の説明図。
【図１１】実施の形態１に係る画面操作手順の説明図。
【図１２】実施の形態１に係る画面操作手順の説明図。
【図１３】実施の形態１に係る画面操作手順の説明図。
【図１４】実施の形態１に係る表示制御処理のフローチャート。
【図１５】実施の形態１に係る画面操作手順に含まれる画面情報の一覧を示す図。
【図１６】変形例１に係る薬歴管理装置１０の構成図。
【図１７】実施の形態２に係る手順登録処理のフローチャート。
【図１８】実施の形態２に係る表示制御処理のフローチャート。
【図１９】実施の形態３に係る薬歴管理装置１０の構成図。
【図２０】実施の形態３に係る表示制御処理のフローチャート。
【発明を実施するための形態】
【００１５】
実施の形態１．
＊＊＊概要の説明＊＊＊
実施の形態１に係る薬歴管理装置１０の概要を説明する。
調剤薬局では、処方箋の受け付け、処方監査、調剤鑑査、調剤、薬品の交付、薬歴の作成といった業務が行われている。調剤薬局で行われる多くの業務で、薬歴管理装置が使用され、薬歴の参照又は薬歴の作成が行われる。
しかし、業務によって薬剤師が参照する又は入力する内容が異なるため、表示すべきウインドウが異なる。また、同じ業務でも処理対象とする患者の違いといった要因によって表示すべきウインドウが異なる。例えば、処方箋の受け付けの業務では、初回来局の患者と、２回目以降の来局の患者とでは、表示すべきウインドウが異なる。
【００１６】
具体例としては、図１に示すように、２回目以降の来局の患者に対する処方箋の受け付け業務では、（１）今回処方確認ウインドウと、（２）過去処方確認ウインドウと、（３）患者特記確認ウインドウと、（４）併用薬確認ウインドウと、（５）過去指導内容確認ウインドウと、（６）コメント確認ウインドウとが同時に表示される場合がある。図１では、（２）過去処方確認ウインドウと（５）過去指導内容確認ウインドウとは、前回と前々回との２回分を表示するために、それぞれ２つのウインドウが表示されている。
（１）今回処方確認ウインドウは、指定された患者に対して今回処方された薬品の情報を表示するウインドウである。（２）過去処方確認ウインドウは、指定された患者に対して過去に処方された薬品の情報を表示するウインドウである。（３）患者特記確認ウインドウは、アレルギーの有無、疾患名といった患者の情報を表示するウインドウであり、操作に応じて患者特記の入力ウインドウを表示できるようになっている。（４）併用薬確認ウインドウは、他の薬局で処方された薬品を表示するウインドウであり、操作に応じて併用薬の入力ウインドウを表示できるようになっている。（５）過去指導内容確認ウインドウは、過去に来局した際に指導した内容を表示するウインドウである。（６）コメント確認ウインドウは、後発薬品を希望しているといった、患者に関する情報を表示するウインドウであり、操作に応じてコメントの入力ウインドウを表示できるようになっている。
そして、今回処方された薬品を確認しつつ、過去に同じ患者に処方された薬品と、患者の特記と、他の薬局で処方され併用して服用されている薬品と、過去に患者に対して行われた指導内容と、その他のコメントとが確認される。
【００１７】
また、他の具体例としては、図２に示すように、薬歴の作成業務では、（８）今回服薬指導記録ウインドウが、（１）〜（６）のウインドウ等とともに表示される場合がある。
（８）今回服薬指導記録ウインドウは、今回の来局において患者に指導した内容を入力するためのウインドウである。
【００１８】
図１及び図２に示されたウインドウ以外にも、図３に示すように、処方された全薬品の情報（添付文書／適応症・病名禁忌／効能効果／注意事項／副作用）を確認するための医薬品情報ウインドウと、処方された薬品の相互作用や併用禁忌等の監査チェック結果を表示する監査結果ウインドウと、過去の服薬状況をグラフ形式で表示するグラフ薬歴ウインドウといったウインドウがある。薬品管理装置によって数は異なるものの、数十個のウインドウが用意されている場合がある。
【００１９】
これまでは、数十個あるウインドウから、薬剤師が業務に応じて表示するウインドウを選択し、必要に応じてウインドウの大きさ及び配置を変えながら、作業を行っていた。例えば、２回目以降の来局の患者に対する処方箋の受け付け業務では、図１に示すように各ウインドウを並べた上で、（２）過去処方確認ウインドウを広げたり、（２）過去処方確認ウインドウを狭めるとともに（５）過去指導内容確認ウインドウを広げたりしながら、作業を行っていた。
しかし、条件によっては、毎回のように同じウインドウを選択し、同じ大きさ及び同じ配置に順に変えながら、作業を行う場合がある。また、新人の薬剤師のように業務に不慣れな薬剤師の場合には、表示すべきウインドウを表示せずに作業を進めてしまい、必要な確認、又は、必要な入力が漏れてしまう場合がある。
【００２０】
そこで、実施の形態１に係る薬歴管理装置１０は、複数のウインドウから選択された１つ以上のウインドウについて大きさ及び配置とを定めた複数の画面情報を順に示す画面操作手順を記憶しておく。そして、薬歴管理装置１０は、指定された画面操作手順を読み出し、読み出された画面操作手順が示す順に、読み出された画面操作手順が示す画面情報で定められたウインドウを定められた大きさ及び配置で表示装置に表示させる。
【００２１】
＊＊＊構成の説明＊＊＊
図４を参照して、実施の形態１に係る薬歴管理装置１０の構成を説明する。
薬歴管理装置１０は、薬局に設置されるコンピュータである。
薬歴管理装置１０は、プロセッサ１１と、メモリ１２と、ストレージ１３と、入力インタフェース１４と、表示インタフェース１５とのハードウェアを備える。プロセッサ１１は、システムバスを介して他のハードウェアと接続され、これら他のハードウェアを制御する。
【００２２】
プロセッサ１１は、プロセッシングを行うＩＣ（Ｉｎｔｅｇｒａｔｅｄ  Ｃｉｒｃｕｉｔ）である。プロセッサ１１は、具体例としては、ＣＰＵ（Ｃｅｎｔｒａｌ  Ｐｒｏｃｅｓｓｉｎｇ  Ｕｎｉｔ）、ＤＳＰ（Ｄｉｇｉｔａｌ  Ｓｉｇｎａｌ  Ｐｒｏｃｅｓｓｏｒ）、ＧＰＵ（Ｇｒａｐｈｉｃｓ  Ｐｒｏｃｅｓｓｉｎｇ  Ｕｎｉｔ）である。
【００２３】
メモリ１２は、プロセッサ１１によってデータ、情報、プログラムが一時的に記憶される作業領域である。メモリ１２は、具体例としては、ＲＡＭ（Ｒａｎｄｏｍ  Ａｃｃｅｓｓ  Ｍｅｍｏｒｙ）である。
【００２４】
ストレージ１３は、具体例としては、ＲＯＭ（Ｒｅａｄ  Ｏｎｌｙ  Ｍｅｍｏｒｙ）、フラッシュメモリ、又は、ＨＤＤ（Ｈａｒｄ  Ｄｉｓｋ  Ｄｒｉｖｅ）である。また、ストレージ１３は、ＳＤ（Ｓｅｃｕｒｅ  Ｄｉｇｉｔａｌ）メモリカード、ＣＦ（ＣｏｍｐａｃｔＦｌａｓｈ）、ＮＡＮＤフラッシュ、フレキシブルディスク、光ディスク、コンパクトディスク、ブルーレイ（登録商標）ディスク、ＤＶＤといった可搬記憶媒体であってもよい。
【００２５】
入力インタフェース１４は、キーボードといった入力装置３１を接続するための装置である。入力インタフェース１４は、具体例としては、ＲＳ２３２Ｃ、ＵＳＢ、Ｅｔｈｅｒｎｅｔ（登録商標）、ＩＥＥＥ１３９４の端子である。
【００２６】
表示インタフェース１５は、ディスプレイといった表示装置３２を接続するための装置である。表示インタフェース１５は、具体例としては、ＤＶＩ（Ｄｉｇｉｔａｌ  Ｖｉｓｕａｌ  Ｉｎｔｅｒｆａｃｅ）、Ｄ−ＳＵＢ（Ｄ−ＳＵＢｍｉｎｉａｔｕｒｅ）、ＨＤＭＩ（登録商標，Ｈｉｇｈ−Ｄｅｆｉｎｉｔｉｏｎ  Ｍｕｌｔｉｍｅｄｉａ  Ｉｎｔｅｒｆａｃｅ）の端子である。
【００２７】
薬歴管理装置１０は、機能構成要素として、手順登録部２１と、表示制御部２２とを備える。手順登録部２１と、表示制御部２２との各部の機能は、ソフトウェアにより実現される。
ストレージ１３には、各部の機能を実現するプログラムが記憶されている。このプログラムは、プロセッサ１１によりメモリ１２に読み込まれ、プロセッサ１１によって実行される。また、ストレージ１３は、手順記憶部２３の機能を実現する。
【００２８】
薬歴管理装置１０の各部の機能の処理の結果を示す情報とデータと信号値と変数値とは、メモリ１２、又は、プロセッサ１１内のレジスタ又はキャッシュメモリに記憶される。以下の説明では、薬歴管理装置１０の各部の機能の処理の結果を示す情報とデータと信号値と変数値は、メモリ１２に記憶されるものとする。
【００２９】
図４では、プロセッサ１１は、１つだけ示されている。しかし、プロセッサ１１は、複数であってもよく、複数のプロセッサ１１が、各機能を実現するプログラムを連携して実行してもよい。
【００３０】
＊＊＊動作の説明＊＊＊
実施の形態１に係る薬歴管理装置１０の動作を説明する。
実施の形態１に係る薬歴管理装置１０の動作は、実施の形態１に係る薬歴管理方法に相当する。また、実施の形態１に係る薬歴管理装置１０の動作は、実施の形態１に係る薬歴管理プログラムの処理に相当する。
【００３１】
実施の形態１に係る薬歴管理装置１０の動作は、画面操作手順を登録する手順登録処理と、画面操作手順を用いて画面を表示する表示制御処理とに分けられる。
画面操作手順は、薬局における薬歴に関する作業について、複数のウインドウから選択された１つ以上のウインドウについて大きさ及び配置とを定めた複数の画面情報を順に示す情報である。
【００３２】
＊＊手順登録処理＊＊
図５を参照して、実施の形態１に係る手順登録処理を説明する。
（ステップＳ１１：登録開始処理）
手順登録部２１は、登録開始の入力を受け付ける。
具体的には、薬剤師によって入力装置３１が操作され、表示装置３２に表示された登録開始ボタンが押された場合に、手順登録部２１は登録開始の入力がされたとする。
【００３３】
（ステップＳ１２：画面登録処理）
手順登録部２１は、１つ以上のウインドウについて大きさ及び配置とを定めた画面情報の入力を受け付ける。
具体的には、薬剤師は入力装置３１を操作して、表示する１つ以上のウインドウを、表示する大きさ及び配置で表示装置３２に表示させる。この状態で、薬剤師によって入力装置３１が操作され、表示装置３２に表示された登録ボタンが押されると、手順登録部２１は表示装置３２に表示された状態を画面情報として受け付ける。
【００３４】
（ステップＳ１３：画面名称登録処理）
手順登録部２１は、ステップＳ１２で受け付けられた画面情報に対して、名称の入力を受け付ける。
具体的には、手順登録部２１は、薬剤師によって入力装置３１が操作され、表示装置３２に表示された画面名称入力欄に入力された名称を受け付ける。
【００３５】
（ステップＳ１４：登録終了処理）
手順登録部２１は、登録終了の入力を受け付ける。
具体的には、薬剤師によって入力装置３１が操作され、表示装置３２に表示された登録終了ボタンが押された場合に、手順登録部２１は登録終了の入力がされたとする。
【００３６】
複数の画面情報を登録する場合には、登録終了の入力がされず、ステップＳ１２からステップＳ１３の処理が繰り返し実行される。
【００３７】
（ステップＳ１５：タイトル登録処理）
手順登録部２１は、ステップＳ１２で受け付けられた一連の画面情報に対して、タイトルの入力を受け付ける。
具体的には、手順登録部２１は、薬剤師によって入力装置３１が操作され、表示装置３２に表示されたタイトル入力欄に入力された名称を受け付ける。
【００３８】
（ステップＳ１６：手順書込処理）
手順登録部２１は、ステップＳ１２で受け付けられた一連の画面情報と、ステップＳ１３で受け付けられた各画面情報に対する名称と、ステップＳ１５で受け付けられたタイトルとを１つの画面操作手順として手順記憶部２３に書き込む。
【００３９】
図６から図１３を参照して具体例を説明する。
図６から図１３では、２回目以降の来局の患者に対する処方箋の受け付けの業務を対象業務とする例が示されている。図６から図１２では、処理対象のウインドウに斜線のハッチングを付け、既に処理対象となったウインドウに格子のハッチングを付けている。
【００４０】
まず、ステップＳ１１で手順登録部２１は、登録開始の入力が受け付ける。
【００４１】
すると、ステップＳ１２で、図６に示ように、薬剤師が入力装置３１を操作して、（１）今回処方確認ウインドウと、（２）過去処方確認ウインドウと、（３）患者特記確認ウインドウと、（４）併用薬確認ウインドウと、（５）過去指導内容確認ウインドウと、（６）コメント確認ウインドウとを表示装置３２に表示させる。そして、登録ボタンが押され、手順登録部２１は、この状態を１つ目の画面情報として受け付ける。続いて、ステップＳ１３で、手順登録部２１は、１つ目の画面情報に対して「初期画面」という名称を受け付ける（図１３参照）。
【００４２】
次にステップＳ１２に処理が戻され、図７に示すように、薬剤師が入力装置３１を操作して、図６に示す状態よりも（１）今回処方確認ウインドウを下に広げて大きくする。そして、登録ボタンが押され、手順登録部２１は、この状態を２つ目の画面情報として受け付ける。続いて、ステップＳ１３で、手順登録部２１は、２つ目の画面情報に対して「（１）今回処方確認」という名称を受け付ける（図１３参照）。
【００４３】
次にステップＳ１２に処理が戻され、図８に示すように、薬剤師が入力装置３１を操作して、図７に示す状態よりも（２）過去処方確認ウインドウを下に広げて大きくする。そして、登録ボタンが押され、手順登録部２１は、この状態を３つ目の画面情報として受け付ける。続いて、ステップＳ１３で、手順登録部２１は、３つ目の画面情報に対して「（２）過去処方確認」という名称を受け付ける（図１３参照）。
【００４４】
次にステップＳ１２に処理が戻され、図９に示すように、薬剤師が入力装置３１を操作して、図８に示す状態よりも（３）患者特記確認ウインドウを上に広げて大きくする。そして、登録ボタンが押され、手順登録部２１は、この状態を４つ目の画面情報として受け付ける。続いて、ステップＳ１３で、手順登録部２１は、４つ目の画面情報に対して「（３）患者特記確認」という名称を受け付ける（図１３参照）。
【００４５】
次にステップＳ１２に処理が戻され、図１０に示すように、薬剤師が入力装置３１を操作して、図９に示す状態の（４）患者特記確認ウインドウの上に、（４）併用薬確認ウインドウを表示させる。そして、登録ボタンが押され、手順登録部２１は、この状態を５つ目の画面情報として受け付ける。続いて、ステップＳ１３で、手順登録部２１は、５つ目の画面情報に対して「（４）併用薬確認」という名称を受け付ける（図１３参照）。
【００４６】
次にステップＳ１２に処理が戻され、図１１に示すように、薬剤師が入力装置３１を操作して、図１０に示す状態の（２）過去処方確認ウインドウを上に狭めて小さくし、（５）過去指導内容確認ウインドウを上に広げて大きくする。そして、登録ボタンが押され、手順登録部２１は、この状態を６つ目の画面情報として受け付ける。続いて、ステップＳ１３で、手順登録部２１は、６つ目の画面情報に対して「（５）過去指導内容確認」という名称を受け付ける（図１３参照）。
【００４７】
次にステップＳ１２に処理が戻され、図１２に示すように、薬剤師が入力装置３１を操作して、図１１に示す状態の（６）コメント確認ウインドウを下に広げて大きくする。そして、登録ボタンが押され、手順登録部２１は、この状態を７つ目の画面情報として受け付ける。続いて、ステップＳ１３で、手順登録部２１は、７つ目の画面情報に対して「（６）コメント確認」という名称を受け付ける（図１３参照）。
【００４８】
続いて、ステップＳ１４で手順登録部２１は、登録終了の入力が受け付け、ステップＳ１５で手順登録部２１は、一連の画面情報に対して「来局２回目以降操作」というタイトルを受け付ける（図１３参照）。
【００４９】
そして、ステップＳ１６で手順登録部２１は、図１３に示す画面操作手順を手順記憶部２３に書き込む。
【００５０】
＊＊表示制御処理＊＊
図１４を参照して、実施の形態１に係る表示制御処理を説明する。
（ステップＳ２１：手順選択処理）
表示制御部２２は、使用する画面操作手順を選択する。
具体的には、表示制御部２２は、記憶された画面操作手順の一覧を表示装置３２に表示させる。薬剤師によって入力装置３１が操作され、表示装置３２に表示された一覧から画面操作手順が特定されると、表示制御部２２は特定された画面操作手順を選択する。
【００５１】
（ステップＳ２２：ウインドウ表示処理）
表示制御部２２は、ステップＳ２１で選択された画面操作手順を手順記憶部２３から読み出す。そして、表示制御部２２は、読み出された画面操作手順に従い、ウインドウを表示装置３２に表示させる。
具体的には、表示制御部２２は、読み出された画面操作手順が示す順に、読み出された画面操作手順が示す画面情報で定められたウインドウを定められた大きさ及び配置で表示装置３２に表示させる。この際、表示制御部２２は、薬剤師による入力装置３１の操作に応じて、次の画面情報で定められたウインドウの表示に移動させる。また、表示制御部２２は、薬剤師による入力装置３１の操作に応じて、前の画面情報で定められたウインドウの表示に移動させる。例えば、表示制御部２２は、入力装置３１であるキーボードのシフトキーと→キーとが同時に押された場合に、次の画面情報で定められたウインドウの表示に移動させ、シフトキーと←キーとが同時に押された場合に、前の画面情報で定められたウインドウの表示に移動させる。
【００５２】
図６から図１３を参照して具体例を説明する。
まず、ステップＳ２１で表示制御部２２は、図１３に示す来局２回目以降操作を選択する。
すると、ステップＳ２２で表示制御部２２は、図６に示す初期画面のウインドウを表示させる。表示制御部２２は、キーボードのシフトキーと→キーとが同時に押されると、図７に示す（１）今回処方確認のウインドウを表示させる。同様に、表示制御部２２は、キーボードのシフトキーと→キーとが同時に押されると、図８に示す（２）過去処方確認のウインドウ、図９に示す（３）患者特記確認のウインドウ・・・のように順に次のウインドウを表示させる。一方、表示制御部２２は、途中で、キーボードのシフトキーと←キーとが同時に押されると、前のウインドウを表示させる。
【００５３】
ステップＳ２２で表示制御部２２は、図１５に示すような画面操作手順に含まれる画面情報を一覧表示した一覧ウインドウを表示装置３２の端等に表示してもよい。そして、表示制御部２２は、一覧ウインドウにおける表示中の画面情報の欄の色を変えるといった方法により、どの画面情報が表示中であるかを示すようにしてもよい。
【００５４】
＊＊＊実施の形態１の効果＊＊＊
以上のように、実施の形態１に係る薬歴管理装置１０は、指定された画面操作手順を読み出し、読み出された画面操作手順が示す順に、読み出された画面操作手順が示す画面情報で定められたウインドウを定められた大きさ及び配置で表示装置に表示させる。これにより、予め定めたウインドウが表示されるため、薬歴を適切に運用できるようになる。具体的には、毎回のように同じ操作をしているような場合には、作業効率を高くできる。また、業務に不慣れな薬剤師の場合には、必要な確認、又は、必要な入力が漏れることを防止できる。
【００５５】
＊＊＊他の構成＊＊＊
＜変形例１＞
実施の形態１では、薬歴管理装置１０の各部の機能がソフトウェアで実現された。変形例１として、薬歴管理装置１０の各部の機能はハードウェアで実現されてもよい。この変形例１について、実施の形態１と異なる点を説明する。
【００５６】
図１６を参照して、変形例１に係る薬歴管理装置１０の構成を説明する。
各部の機能がハードウェアで実現される場合、薬歴管理装置１０は、プロセッサ１１とメモリ１２とストレージ１３とに代えて、処理回路１６を備える。処理回路１６は、薬歴管理装置１０の各部の機能と、メモリ１２及びストレージ１３の機能とを実現する専用の電子回路である。
【００５７】
処理回路１６は、単一回路、複合回路、プログラム化したプロセッサ、並列プログラム化したプロセッサ、ロジックＩＣ、ＧＡ（Ｇａｔｅ  Ａｒｒａｙ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ−Ｐｒｏｇｒａｍｍａｂｌｅ  Ｇａｔｅ  Ａｒｒａｙ）が想定される。
各部の機能を１つの処理回路１６で実現してもよいし、各部の機能を複数の処理回路１６に分散させて実現してもよい。
【００５８】
＜変形例２＞
変形例２として、一部の機能がハードウェアで実現され、他の機能がソフトウェアで実現されてもよい。つまり、薬歴管理装置１０の各部のうち、一部の機能がハードウェアで実現され、他の機能がソフトウェアで実現されてもよい。
【００５９】
プロセッサ１１とメモリ１２とストレージ１３と処理回路１６とを、総称して「プロセッシングサーキットリー」という。つまり、各部の機能は、プロセッシングサーキットリーにより実現される。
【００６０】
実施の形態２．
実施の形態２では、薬局と薬剤師と患者といった条件とともに画面操作手順を記憶しておき、条件に対応する画面操作手順を選択して使用する点が実施の形態１と異なる。実施の形態２では、この異なる点を説明する。
【００６１】
＊＊＊動作の説明＊＊＊
＊＊手順登録処理＊＊
図１７を参照して、実施の形態２に係る手順登録処理を説明する。
ステップＳ３１からステップＳ３５の処理は、図５のステップＳ１１からステップＳ１５の処理と同じである。
【００６２】
（ステップＳ３６：条件登録処理）
手順登録部２１は、薬局と薬剤師と患者といった条件の入力を受け付ける。
具体的には、手順登録部２１は、薬剤師によって入力装置３１が操作され、表示装置３２に表示された条件入力欄に入力された条件を受け付ける。
【００６３】
（ステップＳ３７：手順書込処理）
手順登録部２１は、画面操作手順とともに、ステップＳ３６で受け付けられた条件を手順記憶部２３に書き込む。
【００６４】
＊＊表示制御処理＊＊
図１８を参照して、実施の形態２に係る表示制御処理を説明する。
ステップＳ４３の処理は、図１４のステップＳ２２の処理と同じである。
【００６５】
（ステップＳ４１：条件受付処理）
表示制御部２２は、薬局と薬剤師と患者といった条件の指定を受け付ける。実施の形態２では、薬局と薬剤師と患者との少なくともいずれかの条件を受け付けるが、他の属性を条件として受け付けてもよい。
具体的には、表示制御部２２は、薬剤師によって入力装置３１が操作され、表示装置３２に表示された条件指定欄に指定された条件を受け付ける。あるいは、表示制御部２２は、薬歴管理装置１０の使用開始時等に、薬剤師の薬剤師ＩＤを取得しておき、薬剤師ＩＤから特定される薬剤師と、薬剤師が所属する薬局とを条件として受け付けてもよい。また、業務で処理対象となっている患者の患者ＩＤを取得しておき、患者ＩＤから特定される患者を条件としてもよい。
【００６６】
（ステップＳ４２：手順選択処理）
表示制御部２２は、手順記憶部２３によって記憶された画面操作手順のうち、ステップＳ４１で受け付けられた条件に対応する画面操作手順を特定する。そして、表示制御部２２は、特定された画面操作手順から使用する画面操作手順を選択する。
具体的には、表示制御部２２は、条件に対応する画面操作手順の一覧を表示装置３２に表示させる。薬剤師によって入力装置３１が操作され、表示装置３２に表示された一覧から画面操作手順が特定されると、表示制御部２２は特定された画面操作手順を選択する。
【００６７】
＊＊＊実施の形態２の効果＊＊＊
以上のように、実施の形態２に係る薬歴管理装置１０では、薬局と薬剤師と患者との少なくともいずれかの条件を受け付け、条件に対応する画面操作手順を選択して使用する。これにより、例えば、薬歴管理装置１０の操作に慣れるまでは、薬局で指定された画面操作手順だけを使用するようにするといった対応が可能となる。また、同じ薬剤師が同じ業務を行う場合に、自分を条件として指定することで、前に使用した画面操作手順だけを使用するといった対応が可能となる。また、同じ患者に対して他の薬剤師が同じ業務を行う場合に、患者を条件として指定することで、前に他の薬剤師が使用した画面操作手順だけを使用するといった対応が可能となる。
【００６８】
実施の形態３．
実施の形態３では、業務の処理対象の患者に類似する類似患者を特定し、特定された類似患者を条件として、条件に対応する画面操作手順を選択して使用する点が実施の形態２と異なる。実施の形態３では、この異なる点を説明する。
【００６９】
＊＊＊構成の説明＊＊＊
図１９を参照して、実施の形態３に係る薬歴管理装置１０の構成を説明する。
薬歴管理装置１０は、図４に示す薬歴管理装置１０が備える機能構成要素に加え、患者特定部２４を備える。患者特定部２４は、他の機能構成要素と同様に、ソフトウェアにより実現される。
【００７０】
＊＊＊動作の説明＊＊＊
＊＊表示制御処理＊＊
図２０を参照して、実施の形態３に係る表示制御処理を説明する。
ステップＳ５１の処理は、図１８のステップＳ４１の処理と同じである。また、ステップＳ５４の処理は、図１８のステップＳ４３の処理と同じである。
【００７１】
（ステップＳ５２：患者特定処理）
ステップＳ５１で類似患者が条件として入力された場合、患者特定部２４は、業務の処理対象の患者に類似する類似患者を特定する。実施の形態３では、患者特定部２４は、対象患者の特性と、処方内容との少なくともいずれかから類似患者を特定する。対象患者の特性は、薬歴における特記と、疾病と、併用薬との少なくともいずれかである。また、処方内容は、処方元の医療機関と、処方元の診療科と、処方元の医師と、処方薬と、用法と、用量との少なくともいずれかである。
患者特定部２４は、どの情報を使用して類似患者を特定するかについても、利用者に指定させ、指定された情報にから類似患者を特定する。
【００７２】
（ステップＳ５３：手順選択処理）
表示制御部２２は、手順記憶部２３によって記憶された画面操作手順のうち、ステップＳ５２で特定された類似患者を条件とし、条件に対応する画面操作手順を特定する。そして、表示制御部２２は、特定された画面操作手順から使用する画面操作手順を選択する。
具体的には、表示制御部２２は、類似患者に対応する画面操作手順の一覧を表示装置３２に表示させる。薬剤師によって入力装置３１が操作され、表示装置３２に表示された一覧から画面操作手順が特定されると、表示制御部２２は特定された画面操作手順を選択する。
【００７３】
＊＊＊実施の形態３の効果＊＊＊
以上のように、実施の形態３に係る薬歴管理装置１０では、業務の処理対象の患者に類似する類似患者に対応する画面操作手順を選択して使用する。これにより、類似する患者に対して用いられる画面操作手順だけを使用するようにするといった対応が可能となる。
【符号の説明】
【００７４】
１０  薬歴管理装置、１１  プロセッサ、１２  メモリ、１３  ストレージ、１４  入力インタフェース、１５  表示インタフェース、１６  処理回路、２１  手順登録部、２２  表示制御部、２３  手順記憶部、２４  患者特定部、３１  入力装置、３２  表示装置。
【図１】
2017174260.tif 000003
【図２】
2017174260.tif 000004
【図３】
2017174260.tif 000005
【図４】
2017174260.tif 000006
【図５】
2017174260.tif 000007
【図６】
2017174260.tif 000008
【図７】
2017174260.tif 000009
【図８】
2017174260.tif 000010
【図９】
2017174260.tif 000011
【図１０】
2017174260.tif 000012
【図１１】
2017174260.tif 000013
【図１２】
2017174260.tif 000014
【図１３】
2017174260.tif 000015
【図１４】
2017174260.tif 000016
【図１５】
2017174260.tif 000017
【図１６】
2017174260.tif 000018
【図１７】
2017174260.tif 000019
【図１８】
2017174260.tif 000020
【図１９】
2017174260.tif 000021
【図２０】
2017174260.tif 000022
【手続補正書】
【提出日】平成29年6月14日(2017.6.14)
【手続補正１】
【補正対象書類名】特許請求の範囲
【補正対象項目名】全文
【補正方法】変更
【補正の内容】
【特許請求の範囲】
【請求項１】
薬局における薬歴に関する作業について、複数のウインドウから選択された１つ以上のウインドウについて大きさ及び配置を定めた１つ以上の画面情報を順に示す画面操作手順を記憶する手順記憶部と、
対象患者の特性と、処方内容との少なくともいずれかから、前記対象患者に類似する類似患者を特定する患者特定部と、
前記患者特定部によって特定された類似患者を条件として、前記手順記憶部によって記憶された画面操作手順のうち、条件に対応する画面操作手順を読み出し、読み出された画面操作手順が示す順に、読み出された画面操作手順が示す画面情報で定められたウインドウを定められた大きさ及び配置で表示装置に表示させる表示制御部と
を備える薬歴管理装置。
【請求項２】
前記手順記憶部は、薬局と作業者と患者との少なくともいずれかの条件とともに、画面操作手順を記憶し、
前記表示制御部は、指定された条件に対応する画面操作手順を読み出す
請求項１に記載の薬歴管理装置。
【請求項３】
前記表示制御部は、作業者による入力装置の操作に従い、読み出された画面操作手順が示す順にウインドウを切り替えて表示する
請求項１又は２に記載の薬歴管理装置。
【請求項４】
前記対象患者の特性は、前記薬歴における特記と、疾病と、併用薬との少なくともいずれかである
請求項１から３までのいずれか１項に記載の薬歴管理装置。
【請求項５】
前記処方内容は、処方元の医療機関と、処方元の診療科と、処方元の医師と、処方薬と、用法と、用量との少なくともいずれかである
請求項１から４までのいずれか１項に記載の薬歴管理装置。
【請求項６】
薬局における薬歴に関する作業について、複数のウインドウから選択された１つ以上のウインドウについて大きさ及び配置を定めた１つ以上の画面情報を順に示す画面操作手順を記憶する手順記憶処理と
対象患者の特性と、処方内容との少なくともいずれかから、前記対象患者に類似する類似患者を特定する患者特定処理と、
前記患者特定処理によって特定された類似患者を条件として、前記手順記憶処理で記憶した画面操作手順のうち、条件に対応する画面操作手順を読み出し、読み出された画面操作手順が示す順に、読み出された画面操作手順が示す画面情報で定められたウインドウを定められた大きさ及び配置で表示装置に表示させる表示制御処理とをコンピュータに実行させる薬歴管理プログラム。